(57)【特許請求の範囲】
【請求項１】
ウェブサーバーで運営されるウェブページに関する情報が登録されて、ウェブサーバーＤＢに保存して管理するウェブサーバー管理モジュールと、
ウェブサーバーで運営されるウェブページに対応するキーワードを提供されて、キーワードＤＢに保存して管理するウェブサーバーキーワード管理モジュールと、
クライアント端末のウェブブラウザで表示されるウェブページの内容を認識し、ウェブページを代表する単語または文脈を代表語として選択して代表語ＤＢに保存するウェブブラウザ分析モジュールと、
ウェブブラウザ分析モジュールで選択された代表語を、ウェブサーバーキーワード管理モジュールのキーワードＤＢに保存されたキーワードと比較して、一致するキーワードが存在すれば、相当するキーワードにウェブサーバーに登録されたウェブページをリンクさせつつ、表示されるウェブページの音声ガイドとして生成し、クライアント端末のユーザが音声ガイドを区別して選択するように、選択番号を同時に提供する音声ガイド生成モジュールと、
音声ガイド生成モジュールで生成されたウェブページ音声ガイドを、クライアント端末のウェブブラウザでウェブページが表示される間に音声として出力させる音声ガイド表示モジュールと、
前記クライアント端末のウェブブラウザで音声ガイドが出力される間に、クライアント端末で音声ガイドに対応するキーが選択されれば、それを選択信号として認識して、選択された広告主のウェブページをクライアント端末のウェブブラウザに出力させるクライアント選択確認モジュールを備えることを特徴とする音声ガイドを活用した順次ウェブサイト移動システム。
【請求項２】
前記音声ガイドは、選択されたキーワードに対応するウェブページがリンクされ、またはオープンされることを特徴とする請求項１に記載の音声ガイドを活用した順次ウェブサイト移動システム。
【請求項３】
前記キーは、音声ガイドの順位または設定に対応する番号キー、特殊キー、または前記音声ガイドが出力される間に入力されたエンター・キーのうち何れか一つであることを特徴とする請求項１に記載の音声ガイドを活用した順次ウェブサイト移動システム。
【請求項４】
前記ウェブサーバーキーワードは、ウェブページ全体に対して一つまたは複数のキーワードが設定されることを特徴とする請求項１に記載の音声ガイドを活用した順次ウェブサイト移動システム。
【請求項５】
前記ウェブブラウザ分析モジュールは、ウェブページの内容が検索サイトの検索結果である場合には、検索語を代表語として選択することを特徴とする請求項１に記載の音声ガイドを活用した順次ウェブサイト移動システム。
【請求項６】
前記ウェブブラウザ分析モジュールは、ウェブページの内容に対して形態素解析を行ってウェブページの代表語を選択するか、またはウェブページの内容にイメージまたは動画が含まれている場合には、イメージまたは動画を説明する情報を分析して、イメージまたは動画を代表する単語を代表語として選択することを特徴とする請求項１に記載の音声ガイドを活用した順次ウェブサイト移動システム。
【請求項７】
前記クライアント選択確認モジュールは、音声ガイドが一つである場合には、クライアント端末で選択したことと認識して、リンクされたウェブページを出力させることを特徴とする請求項１に記載の音声ガイドを活用した順次ウェブサイト移動システム。
【発明の詳細な説明】
【技術分野】
【０００１】
本発明は、クライアント端末のウェブブラウザで表示されるウェブページの内容を分析し、関連した他のウェブサイトに関する情報を音声ガイドとして提供して、検索サイトを利用せずに他のウェブサイトへ移動することができる、音声ガイドを活用した順次ウェブサイト移動システムに関する。
【背景技術】
【０００２】
一般的に、大部分のインターネットのユーザは、インターネットを介して所望する情報を得るために、多様な情報を提供するポータル・サイトの検索ボックスに特定の単語を入力し、表示される検索結果を確認しながら所望するウェブサイトにアクセスするか、またはウェブサイトのＵＲＬ（Ｕｎｉｆｏｒｍ  Ｒｅｓｏｕｒｃｅ  Ｌｏｃａｔｏｒ）が分かる場合には、ウェブブラウザのアドレスバーにサイト名を入力して直接アクセスする。
【０００３】
しかし、インターネットのユーザが、そのユーザの正確に所望する情報を提供するウェブサイトが分からない場合には、ポータル・サイトを利用してウェブサイトにアクセスするが、検索結果としてクリックされたウェブサイトが、ユーザの所望する情報を提供するウェブサイトではない場合には、再びポータル・サイトへ移動して検索結果を確認して他のウェブサイトにアクセスするしかなかった。
【０００４】
一方、ユーザが、所望するウェブサイトにアクセスした後に、ユーザの所望する情報を提供する他のウェブサイトにアクセスしようとする場合には、検索結果が表示されるウェブページへ再び移動して他のウェブサイトを選択せねばならないという面倒さがあった。
【０００５】
また、一般的なウェブサーフィンをする間には、ウェブサイトで提供する別途のバナー、フローティングなどの広告内容を確認しながら移動することができるが、バナー、フローティングなどの広告内容は、ウェブサイトの運営者が任意に設けたものに過ぎず、ウェブサイトとの関連性がないという問題があり、広告内容を露出させるために別途の領域が必要であるため、全体的な外観がすっきりとしたウェブサイトを製作することが難しかった。
【発明の概要】
【発明が解決しようとする課題】
【０００６】
したがって、本発明の目的は、クライアント端末のウェブブラウザで表示されるウェブページの内容を分析し、関連した他のウェブサイトに関する情報を音声ガイドとして提供することによって、検索サイトを利用せずに他のウェブサイトへ移動することができる、音声ガイドを活用した順次ウェブサイト移動システムを提供することである。
【課題を解決するための手段】
【０００７】
本発明の音声ガイドを活用した順次ウェブサイト移動システムは、ウェブサーバーで運営されるウェブページに関する情報が登録されて、ウェブサーバーＤＢに保存して管理するウェブサーバー管理モジュールと、ウェブサーバーで運営されるウェブページに対応するキーワードを提供されて、キーワードＤＢに保存して管理するウェブサーバーキーワード管理モジュールと、クライアント端末のウェブブラウザで表示されるウェブページの内容を認識し、ウェブページを代表する単語または文脈を代表語として選択して代表語ＤＢに保存するウェブブラウザ分析モジュールと、ウェブブラウザ分析モジュールで選択された代表語を、ウェブサーバーキーワード管理モジュールのキーワードＤＢに保存されたキーワードと比較して、一致するキーワードが存在すれば、相当するキーワードにウェブサーバーに登録されたウェブページをリンクさせつつ、表示されるウェブページの音声ガイドとして生成する音声ガイド生成モジュールと、音声ガイド生成モジュールで生成されたウェブページ音声ガイドを、クライアント端末のウェブブラウザでウェブページが表示される間に音声として出力させる音声ガイド表示モジュールと、を備えることを特徴とする。
【０００８】
好ましくは、前記音声ガイド生成モジュールは、クライアント端末のユーザが音声ガイドを区別して選択するように、選択番号が同時に提供されることを特徴とする。
【０００９】
好ましくは、前記クライアント端末のウェブブラウザで音声ガイドが出力される間に、クライアント端末で音声ガイドに対応するキーが選択されれば、それを選択信号として認識して、選択された広告主のウェブページをクライアント端末のウェブブラウザに出力させるクライアント選択確認モジュールをさらに備えることを特徴とする。
【００１０】
好ましくは、前記ウェブブラウザ分析モジュールは、ウェブページの内容が検索サイトの検索結果である場合には、検索語を代表語として選択することを特徴とする。
【００１１】
好ましくは、前記ウェブブラウザ分析モジュールは、ウェブページの内容に対して形態素解析を行ってウェブページの代表語を選択するか、またはウェブページの内容にイメージまたは動画が含まれている場合には、イメージまたは動画を説明する情報を分析して、イメージまたは動画を代表する単語を代表語として選択することを特徴とする。
【発明の効果】
【００１２】
本発明によれば、現在のクライアント端末のウェブブラウザでリアルタイムで表示されるウェブページに関連した他のウェブサイトに関する情報を音声ガイドとしてウェブページに出力することによって、検索サイトを利用せずに他のウェブサイトへ移動することができる。
【００１３】
また、クライアント端末のウェブブラウザで表示されるウェブページの内容に対して形態素解析を行うため、ウェブページの内容のうち関連度の高い重要代表語を正確に選択することができるため、ウェブページを訪ねたユーザが連続的に関連した他のウェブサイトに容易に移動することができる。
【００１４】
さらに、他のウェブサイトに対するガイドが音声として表示され、１、２のように選択キーを押せば、他のサイトへ容易に移動することができる。
【００１５】
また、表示されるウェブページにおいて、既存のバナーのような別途の領域なしにも他のサイトへ容易に移動することができる。
【図面の簡単な説明】
【００１６】
【図１】本発明による音声ガイドを活用した順次ウェブサイト移動システムの概路を示す図である。
【図２】本発明による音声ガイドを活用した順次ウェブサイト移動管理サーバーのブロック図である。
【図３】本発明による音声ガイドを活用した順次ウェブサイト移動システムの進行過程のフローチャートである。
【図４】本発明によるウェブページの形態素解析を示す例示図である。
【発明を実施するための形態】
【００１７】
以下、添付図面を参照して本発明の実施形態を説明する。
【００１８】
図１に示されるように、本発明の基本的な概念は、ウェブサイト移動管理サーバー２０が、クライアント端末１０でリアルタイムで表示されるウェブページの内容を分析し、ウェブサーバー４０に登録された、他のウェブページに関する情報を音声としてガイドすることによって、ユーザは、別途の検索過程を経ずとも順次に現在のウェブページと関連した他のウェブページへ移動することができる。
【００１９】
図２を参照して本発明の音声ガイドを活用した順次ウェブサイト移動管理サーバーを詳細に説明すれば、管理サーバー２０は、ウェブサーバー管理モジュール２１、ウェブサーバーキーワード管理モジュール２２、ウェブブラウザ分析モジュール２３、音声ガイド生成モジュール２４、音声ガイド表示モジュール２５、クライアント選択確認モジュール２６、及び制御モジュール２７を備える。
【００２０】
ウェブサーバー管理モジュール２１は、ウェブサーバーで運営されるウェブページに関する情報が登録されて、前記情報をウェブサーバーＤＢ  ２８に保存して管理する。このとき、登録されるウェブサーバーのウェブページに関する情報は、それぞれのウェブページのＵＲＬを含む。
【００２１】
ウェブサーバーキーワード管理モジュール２２は、ウェブサーバーで運営されるウェブページに対応するキーワードが登録されて、前記キーワードをキーワードＤＢ  ２９に保存して管理する。このとき、ウェブサーバーで運営されるウェブページ全体に対して一つまたは複数のキーワードを提供されて登録することができる。
【００２２】
ウェブブラウザ分析モジュール２３は、クライアント端末１０のウェブブラウザで表示されるウェブページの内容を認識し、ウェブページを代表する単語または文脈を代表語として選択して代表語ＤＢ  ３０に保存する。このとき、ウェブブラウザで表示されるウェブページの内容は、一般サイトのウェブページ、検索サイトの検索結果ページ、ニュース、個別サイトなどのページを備える。
【００２３】
例えば、ウェブページの内容が検索サイトの検索結果である場合には、検索語を代表語として選択し、ウェブページの内容に対して形態素解析を行ってウェブページの代表語を選択し、またはウェブページの内容にイメージまたは動画が含まれている場合には、イメージまたは動画を説明する情報を分析して、イメージを代表する単語を代表語として選択することができる。また、図４に示されるように、ウェブページの内容が一般的なウェブページである場合、ウェブページに対して形態素解析を行った重要単語または文脈であるＫＩＡ自動車（韓国の自動車メーカー）、Ｋ５（車名、モーターショー、スポーティジ（車名）のうち最も優先される単語または文脈である‘ＫＩＡ自動車’を代表語として選択することができる。
【００２４】
音声ガイド生成モジュール２４は、ウェブブラウザ分析モジュール２３で選択された代表語を、ウェブサーバーキーワード管理モジュール２２のキーワードＤＢ  ２９に保存されたキーワードと比較して、一致するキーワードが存在すれば、相当するキーワードを音声ガイドとして生成する。このとき、音声ガイドは、選択されたキーワードに対応するウェブページがリンクされ、クライアント端末のユーザが音声ガイドを区別して選択するように選択番号が同時に提供される。例えば、キーワードとして‘ＫＩＡ自動車’が選択されれば、“一番、ＫＩＡ自動車販売サイトへ移動しますか？”、“二番、ＫＩＡ自動車新型サイトへ移動しますか？”、“三番、ＫＩＡ自動車中古車販売サイトへ移動しますか？”、“四番、ＫＩＡ自動車代理店へ移動しますか？”などの音声ガイドと、“移動するときには相当するキーを押してください”という利用ガイドが同時に生成される。相当するキーは、音声ガイドの順位に対応する番号キー、特殊キー、エンター・キーなどに設定されることができる。一方、同一のキーワードに複数の広告主のウェブページが存在する場合には、順次に広告主のウェブページが選択されるように調節することができる。
【００２５】
音声ガイド表示モジュール２５は、音声ガイド生成モジュール２４で生成されたウェブページ音声ガイドを、クライアント端末のウェブブラウザでウェブページが表示される間に音声として出力させる。
【００２６】
クライアント選択確認モジュール２６は、クライアント端末のウェブブラウザから音声ガイドが出力される間に、クライアント端末で音声ガイドに対応する番号が選択されれば、それを選択信号として認識して、選択された広告主のウェブページをクライアント端末のウェブブラウザに出力させる。例えば、音声ガイドとして“一番、ＫＩＡ自動車販売サイトへ移動しますか？”、“二番、ＫＩＡ自動車新型サイトへ移動しますか？”、“三番、ＫＩＡ自動車中古車販売サイトへ移動しますか？”、“四番、ＫＩＡ自動車代理店へ移動しますか？”などが出力される間に、クライアント端末で数字“２”が入力されれば、二番の音声ガイドである“ＫＩＡ自動車新型サイトへ移動しますか？”が選択されたことと確認して、相当するウェブページを出力させる。また、相当する音声ガイドが出力される間にエンター・キーなどのキーが入力されれば、出力される音声ガイドが選択されたことと認識して、相当するウェブページを出力させることができる。
【００２７】
また、クライアント選択確認モジュール２６は、音声ガイドが一つである場合には、クライアント端末で選択したことと認識して、リンクされたウェブページを出力させることができる。
【００２８】
そして、制御モジュール２７は、それぞれのモジュール２１ないし２５の間でのデータの移動を制御する。
【００２９】
以下、図３を参照して、本発明の順次ウェブサイト移動システムの進行過程について具体的に説明する。
【００３０】
まず、管理サーバーのウェブサーバーキーワード管理モジュール２２は、ウェブサーバー管理モジュール２１によって登録されたウェブサーバーのウェブページに対応するキーワードを提供されてキーワードＤＢ  ２９に保存する（Ｓ３１）。このとき、ウェブページ全体に対して一つのキーワードのみが設定されるか、またはそれぞれのウェブページに相異なるキーワードが設定される。
【００３１】
クライアント端末１０のウェブブラウザでウェブページが表示されれば、ウェブブラウザ分析モジュール２３は表示されるウェブページの内容を認識し（Ｓ３２）、認識されたウェブページの内容を代表する単語または文脈を代表語として選択して代表語ＤＢ  ３０に保存する（Ｓ３３及びＳ３４）。このとき、ウェブページの内容が検索サイトの検索結果である場合には、検索語を代表語として選択し、ウェブページの内容に対して形態素解析を行ってウェブページの代表語を選択し、またはウェブページの内容にイメージが含まれている場合には、イメージを説明する情報を分析して、イメージを代表する単語を代表語として選択することができる。
【００３２】
その後、音声ガイド生成モジュール２４は、ウェブブラウザー分析モジュール２３で選択された代表語を、ウェブサーバーキーワード管理モジュール２２のキーワードＤＢ  ２９に保存されたキーワードと比較して、一致するキーワードの存否を確認し（Ｓ３５）、同一のキーワードが存在すれば、相当するキーワードを含むウェブサーバーのウェブページ音声ガイドとして生成する（Ｓ３６及びＳ３７）。このとき、音声ガイドには、クライアント端末のユーザが音声ガイドを選択するように、一番、二番、三番などの選択番号が同時に提供される。また、音声ガイドとして生成される広告主のウェブページが複数個存在する場合には、順次に選択されるか、または重要な順位に広告主のウェブページが選択されるように調節することができる。
【００３３】
そして、音声ガイド生成モジュール２４によってウェブサーバーのウェブページ音声ガイドが生成されれば、ガイド出力モジュール２５を利用して生成された音声ガイドをクライアント端末のウェブブラウザで表示されるウェブページに音声として出力させる（Ｓ３８）。
【００３４】
一方、クライアント端末のウェブブラウザで音声ガイドが出力される間に、クライアント端末で音声ガイドに対応する番号が選択されれば（Ｓ３９）、クライアント選択確認モジュール２６は選択信号として認識して、選択された広告主のウェブページをクライアント端末のウェブブラウザに出力させる（Ｓ４０）。例えば、一番、二番、三番などの選択番号のうち一つがキーボードなどを介して選択されたことと確認されれば、相当するウェブページを出力させる。このとき、音声ガイドが一つである場合には、クライアント端末で選択したことと認識して、リンクされたウェブページを出力させることができる。
【００３５】
以上のように、本発明は、制限された実施形態及び図面によって説明されたが、本発明がそれらによって制限されるものではなく、当業者によって本発明の技術思想や特許請求の範囲の均等な範囲内で多様な修正及び変形が可能であることは言うまでもない。
【図１】
0005580928.tif 000002
【図２】
0005580928.tif 000003
【図３】
0005580928.tif 000004
【図４】
0005580928.tif 000005